(57)【特許請求の範囲】
【請求項１】
炭酸ガス、又は酸素、又は炭酸ガスと酸素の混合ガス（以下、「ガス」という）と水、イオン水、オゾン水、生理食塩水、精製水、又は滅菌精製水（以下、単に「水」という）を粉砕溶解させたミスト（以下、「ガスミスト」という）を生体の皮膚に接触させるためのシステムであって、
前記ガスを供給するガス供給手段と、
該ガス供給手段から供給された前記ガスと、内部に貯留された前記水とから、前記ガスミストを生成し、前記ガスと混合した状態で供給するガスミスト生成手段と、
前記生体の上半身、下半身又は局所的な部位の皮膚を覆い、前記ガスミスト生成手段から供給される前記ガスミスト及び前記ガスを内部に封入する空間を形成する生体カバー部材と、
を備え、
前記ガスミスト生成手段は、
前記ガス供給手段との接続部と、
前記接続部からのガス流を分岐させる分岐部と、
前記水を貯留している液体貯留部と、
前記液体貯留部の底部中央から上方に向けて略円錐筒状に隆起して形成されて前記分岐部で分岐された一方の前記ガス流を吐出するノズルと、
頂点の開口部が前記ノズルの先端開口と一致するよう該ノズルに被さり配置されて、前記ノズルの外周面との間に前記液体貯留部の底面との隙間から水を吸い込む吸液管を形成する吸液管形成部材と、
前記ノズルの先端開口と対向して上方に配置されて、前記ノズルが吐出する前記ガス流によって吹き上げられた前記水を衝突させてガスミストを生成する衝突部材と、
前記ノズルの先端開口の上方で前記衝突部材を囲うように配置される円筒状の部材から成る合流部と、
前記合流部の外周面に沿って形成されて、前記合流部の下方から押し出される前記ガスミストを収集するガスミスト排出部と、
前記ガスミスト排出部の外側に形成されており前記分岐部で分岐された他方の前記ガス流を前記合流部の上方まで導くガス導入部と、
前記ガスミスト排出部に収集された前記ガスミストを前記生体カバー部材に排出するガスミスト排出口と、を一つの容器内に備え、
前記ガスミスト排出部は、前記ガス導入部が供給する前記ガス流によって前記合流部から押し出される前記ガスミストを収集することを特徴とするガスミスト圧浴システム。
【請求項２】
前記ガスミスト生成手段において、少なくとも前記液体貯留部を取り外し可能にして、他の液体貯留部と取替え可能に構成することを特徴とする請求項１に記載のガスミスト圧浴システム。
【請求項３】
前記生体カバー部材内の温度計の測定値に基づき前記生体カバー部材内を生体の体温以上に制御する制御手段をさらに備えることを特徴とする請求項１又は２に記載のガスミスト圧浴システム。
【請求項４】
前記生体カバー部材内を加圧する加圧手段をさらに備えることを特徴とする請求項１乃至３の何れか一項に記載のガスミスト圧浴システム。
【請求項５】
前記加圧手段が、前記生体カバー部材と連設され、該生体カバー部材内にガスミストを排出可能な中空のガス溜からなることを特徴とする請求項４に記載のガスミスト圧浴システム。
【請求項６】
前記制御手段により、前記ガスミストを間歇的に前記生体カバー部材内に供給することによって、該生体カバー部材内を略１．０１乃至１．４気圧でインターバル加圧することを特徴とする請求項３に記載のガスミスト圧浴システム。
【請求項７】
前記加圧手段が、前記生体カバー部材内に間歇的にガスミストを排出することによって、該生体カバー部材内を略１．０１乃至１．４気圧でインターバル加圧することを特徴とする請求項５に記載のガスミスト圧浴システム。
【請求項８】
前記水は、メンソール、ビタミンＥ、ビタミンＣ誘導体、レチノール、麻酔薬、シクロデキストリン、光触媒、光触媒とアパタイトの複合体、ヒアルロン酸、コエンザイムＱ１０、シードオイル、プロポリス、クエン酸、エタノール、グルコン酸クロルヘキシジン、両性界面活性剤、塩化ベンザルコニウム、酢酸アルキルジアミノエテルグリシン、次亜塩素酸ナトリウム、過酢酸、セスキ炭酸ナトリウム、シリカ、ポピドンヨード、炭酸水素ナトリウム、高濃度炭酸泉剤、抗アレルギー剤、抗炎症剤、解熱鎮痛剤、抗真菌剤、抗インフルエンザウィルス剤、インフルエンザワクチン、ステロイド剤、抗ガン剤、血圧降下剤、化粧剤、増毛剤、発毛剤、又は育毛剤のうち、何れか一つ又は複数をさらに含有することを特徴とする請求項７に記載のガスミスト圧浴システム。
【請求項９】
前記ガスミスト生成手段から前記生体カバー部材内に供給される前記ミストの粒径が、１０μｍ以下であることを特徴とする請求項１乃至８の何れか一項に記載のガスミスト圧浴システム。
【請求項１０】
前記制御手段は、ガスミスト圧浴時における前記生体カバー部材内の圧力を１．０１乃至１．４気圧に保持することを特徴とする請求項３に記載のガスミスト圧浴システム。
【請求項１１】
前記ガスミスト生成手段が供給するミストに電荷を付与する電荷付与手段をさらに備えることを特徴とする請求項１乃至１０の何れか一項に記載のガスミスト圧浴システム。
【請求項１２】
前記電荷が、マイナス電荷であることを特徴とする請求項１１に記載のガスミスト圧浴システム。
【請求項１３】
前記ガスミスト生成手段が、前記生体圧浴カバーへガスミスト及びガスを供給するためのガスミスト供給管を有し、
該ガスミスト供給管が、管内に付着する液滴を除去するためのフィルターを備えることを特徴とする請求項１乃至１２の何れか一項に記載のガスミスト圧浴システム。
【請求項１４】
前記ガスミスト生成手段が、前記生体圧浴カバーへガスミスト及びガスを供給するためのガスミスト供給管を有し、
該ガスミスト供給管の全部又は一部がジャバラ状の管から構成されることを特徴とする請求項１乃至１３の何れか一項に記載のガスミスト圧浴システム。
【請求項１５】
前記ジャバラ状の管の内側に、管の軸方向に溝が形成されていることを特徴とする請求項１４に記載のガスミスト圧浴システム。
【請求項１６】
前記ガスミスト生成手段が、前記生体圧浴カバーへガスミスト及びガスを供給するためのガスミスト供給管を有し、
該ガスミスト供給管に、逆止弁を設けることを特徴とする請求項１乃至１５の何れか一項に記載のガスミスト圧浴システム。
【請求項１７】
前記生体カバー部材のガスミスト供給口に、逆止弁を設けることを特徴とする請求項１乃至１６の何れか一項に記載のガスミスト圧浴システム。
【請求項１８】
前記制御手段は、前記生体カバー部材内の圧力値が所定値以上になった際は前記ガス供給手段からのガスの供給を停止することを特徴とする請求項１乃至１７の何れか一項に記載のガスミスト圧浴システム。
【請求項１９】
前記ガスミスト生成手段が、予め滅菌処理されていることを特徴とする請求項１乃至１８の何れか一項に記載のガスミスト圧浴システム。
【発明の詳細な説明】
【技術分野】
【０００１】
本発明は、酸素、炭酸ガス、又は酸素と炭酸ガスの混合ガスと液体を粉砕溶解させたガスミストを、所定の圧力値以上で生体の皮膚又は粘膜に直接接触させることにより、皮膚又は粘膜からのガスの吸収効率を向上させるガスミスト圧浴システムに関する。
【背景技術】
【０００２】
従来から、炭酸ガス（二酸化炭素：ＣＯ２）は、水に溶けやすい（水溶性）だけでなく油にも溶けやすい（脂溶性）という性質を双方併せ持つおかげで、水と油の混じったような生体の皮膚及び粘膜に触れるだけでその皮下に浸透し、浸透部位の血管を拡張させて血液循環を改善する作用があることが知られている。そしてこの血行促進作用により、血圧降下、代謝の改善、疼痛物質や老廃物の排除促進等、様々な生理的効果を発揮する。また、抗炎症、抗菌作用も有している。このため、近年、炭酸ガスは医療目的のほか、健康増進、美容促進といった点からも広く注目を集めている。【０００３】
生体の組織中で炭酸ガスは、赤血球内のヘモグロビンに結合して運ばれた酸素を放出させる働きがある。炭酸ガス濃度の高いところでは、赤血球はより多くの酸素を放出する。このように、赤血球による細胞への酸素の供給は、主に炭酸ガスがコントロールしている。つまり、炭酸ガスなしでは、ヘモグロビンは酸素が結合したままの状態となり、細胞は酸素を受け取ることができなくなってしまう。このように、炭酸ガスは、細胞の活動の結果出てくる老廃物のように思われがちだが、実は体の中で非常に重要な役割を果たしている。【０００４】
また、昨今、高濃度酸素が新陳代謝の活性、血行促進、疲労回復、血圧の安定等に効果があることが広く知られるようになった。このほかに酸素は、酸化作用による殺菌、滅菌効果をも有している。【０００５】
そこで本発明者は、酸素又は炭酸ガスを液体に効率よく溶解させてミスト化し、それらのガスの生理作用を生体に効果的に及ぼすことができるガスミスト圧浴システムを開発している。例えば、ガスミスト生成器内に供給されたガスを二手に分岐させ、一方をガスミストの生成に用いると共に、他方をガスミストの生成部から排出部に向けて供給することで、ガスミスト生成器のガスミスト供給圧を上げたガスミスト圧浴システムをこれまでに提案している。
【発明の概要】
【発明が解決しようとする課題】
【０００６】
しかしながら、従来のガスミスト圧浴システムでは、ガスミスト生成器内で分岐させたガスを、外付けのチューブ等でガスミストの生成部へと案内するものだった。このように、外付けのチューブ等を用いた場合は、組み立て時に手間がかかると共に、製造コストが高くなるという問題があった。また、ガス圧が高いとチューブ等の接続部からガスが漏出する可能性もあった。【０００７】
そこで本発明は、上記状況に鑑み、ガスミストの供給圧を上昇させるためのガス導入部をガスミスト生成器と一体にして、構造の簡易化と低コスト化を実現できるガスミスト圧浴システムを提供することを目的とする。
【課題を解決するための手段】
【０００８】
本発明は、上記課題を解決するために、炭酸ガス、又は酸素、又は炭酸ガスと酸素の混合ガス（以下、「ガス」という）と水、イオン水、オゾン水、生理食塩水、精製水、又は滅菌精製水（以下、単に「水」という）を粉砕溶解させたミスト（以下、「ガスミスト」という）を生体の皮膚に接触させるためのシステムであって、前記ガスを供給するガス供給手段と、該ガス供給手段から供給された前記ガスと、内部に貯留された前記水とから、前記ガスミストを生成し、前記ガスと混合した状態で供給するガスミスト生成手段と、前記生体の上半身、下半身又は局所的な部位の皮膚を覆い、前記ガスミスト生成手段から供給される前記ガスミスト及び前記ガスを内部に封入する空間を形成する生体カバー部材と、を備え、前記ガスミスト生成手段は、前記ガス供給手段との接続部と、前記接続部からのガス流を分岐させる分岐部と、前記水を貯留している液体貯留部と、前記液体貯留部の底部中央から上方に向けて略円錐筒状に隆起して形成されて前記分岐部で分岐された一方の前記ガス流を吐出するノズルと、頂点の開口部が前記ノズルの先端開口と一致するよう該ノズルに被さり配置されて、前記ノズルの外周面との間に前記液体貯留部の底面との隙間から水を吸い込む吸液管を形成する吸液管形成部材と、前記ノズルの先端開口と対向して上方に配置されて、前記ノズルが吐出する前記ガス流によって吹き上げられた前記水を衝突させてガスミストを生成する衝突部材と、前記ノズルの先端開口の上方で前記衝突部材を囲うように配置される円筒状の部材から成る合流部と、前記合流部の外周面に沿って形成されて、前記合流部の下方から押し出される前記ガスミストを収集するガスミスト排出部と、前記ガスミスト排出部の外側に形成されており前記分岐部で分岐された他方の前記ガス流を前記合流部の上方まで導くガス導入部と、前記ガスミスト排出部に収集された前記ガスミストを前記生体カバー部材に排出するガスミスト排出口と、を一つの容器内に備え、前記ガスミスト排出部は、前記ガス導入部が供給する前記ガス流によって前記合流部から押し出される前記ガスミストを収集することを特徴とするガスミスト圧浴システムを提供するものである。
【０００９】
なお、本願においては、液体を粉砕し微細な液滴にして気体（炭酸ガス、又は酸素、又は炭酸ガスと酸素の混合ガス）と接触混合させることを、粉砕溶解という。【００１０】
ここで、本発明のガスミスト圧浴システムは、前記ガスミスト生成手段において、少なくとも前記液体貯留部を取り外し可能にして、他の液体貯留部と取替え可能に構成するのが好適である。【００１１】
また、前記生体カバー部材内の気圧、温度、酸素濃度、炭酸ガス濃度及び湿度等の測定値を検知するセンサ類と、そのセンサ類の測定値に基づき前記生体カバー部材内を予め設定された設定値の範囲内に制御する制御手段と、をさらに備えるのが好適である。【００１２】
また、前記生体カバー部材内を加圧する加圧手段をさらに備えるようにしても良い。なお、この加圧手段は、前記生体カバー部材と連設され、その生体カバー部材内にガスミストを排出可能な中空のガス溜からなるのが好適である。【００１３】
なお、前記制御手段により、前記ガスミストを間歇的に前記生体カバー部材内に供給することによって、その生体カバー部材をインターバル加圧するようにしても良い。あるいは、前記加圧手段が、前記生体カバー部材内に間歇的にガスミストを排出することによって、その生体カバー部材をインターバル加圧するようにしても良い。【００１４】
前記水は、メンソール、ビタミンＥ、ビタミンＣ誘導体、レチノール、麻酔薬、シクロデキストリン、光触媒、光触媒とアパタイトの複合体、ヒアルロン酸、コエンザイムＱ１０、シードオイル、プロポリス、クエン酸、エタノール、グルコン酸クロルヘキシジン、両性界面活性剤、塩化ベンザルコニウム、酢酸アルキルジアミノエテルグリシン、次亜塩素酸ナトリウム、過酢酸、セスキ炭酸ナトリウム、シリカ、ポピドンヨード、炭酸水素ナトリウム、高濃度炭酸泉剤、抗アレルギー剤、抗炎症剤、解熱鎮痛剤、抗真菌剤、抗インフルエンザウィルス剤、インフルエンザワクチン、ステロイド剤、抗ガン剤、血圧降下剤、化粧剤、増毛剤、発毛剤、又は育毛剤のうち、何れか一つ又は複数をさらに含有しても良い。
【００１５】
なお、前記ガスミスト生成手段から前記生体カバー部材内に供給される前記ミストの粒径は、１０μｍ以下であるのが好ましい。【００１６】
また、前記制御手段は、ガスミスト圧浴時における前記生体カバー部材内の圧力を１．０１乃至１．４気圧に保持するのが好適である。【００１７】
そして、前記ガスミスト生成手段が供給するミストに電荷を付与する電荷付与手段をさらに備えるようにしても良い。このとき、前記電荷は、マイナス電荷であるのが好ましい。【００１８】
また、前記ガスミスト生成手段が、前記生体圧浴カバー内へガスミスト及びガスを供給するためのガスミスト供給管を有し、このガスミスト供給管が、管内に付着する液滴を除去するためのフィルターを備えるようにするのが良い。さらにこのガスミスト供給管の全部又は一部は、ジャバラ状の管から構成されるのが好適である。そして、そのジャバラ状の管の内側には、管の軸方向に溝が形成されるのが好ましい。また、このガスミスト供給管には、逆止弁を設けるのが良い。【００１９】
さらに、前記生体カバー部材のガスミスト供給口にも、逆止弁を設けるのが好ましい。なお、前記制御手段は、前記生体カバー部材内の圧力値が所定値以上になった際は前記ガス供給手段からのガスの供給を停止するのが好適である。【００２０】
また、前記ガスミスト生成手段は、予め滅菌処理されているのが好ましい。
【発明の効果】
【００２１】
本発明のガスミスト圧浴システムによれば、ガスミストの供給圧を上昇させるためのガス導入部をガスミスト生成器と一体に形成したため、構造が簡易化し使用時の手間を減らすと共に、製造コストを低減させることができる。また、ガスの漏出も防ぐことができる。
【図面の簡単な説明】
【００２２】
【図１】本発明の第１の実施形態に係るガスミスト圧浴システムの全体概略図である。
【図２】図１のガスミスト圧浴システムにおける、ガスミスト生成器の構造を示す断面模式図である。
【図３】図２の矢印Ａ方向から見たガスミスト生成器の断面斜視図である。
【図４】図２の矢印Ｂ方向から見たガスミスト生成器の断面斜視図である。
【図５】本発明のガスミスト生成器と生体圧浴カバーとを接続するガスミスト供給管の例を示す模式図である。
【図６】図５に示すガスミスト供給管の断面斜視図である。
【図７】図１のガスミスト圧浴システムにおけるガスミスト生成器の部分拡大断面図である。
【図８】本発明の第１の実施形態に係るガスミスト圧浴システムにおける生体圧浴カバーの形状例（その１）を示す模式図である。
【図９】本発明の第１の実施形態に係るガスミスト圧浴システムにおける生体圧浴カバーの形状例（その２）を示す模式図である。
【図１０】本発明の第１の実施形態に係るガスミスト圧浴システムにおける生体圧浴カバーの形状例（その３）を示す模式図である。
【図１１】本発明の第１の実施形態に係るガスミスト圧浴システムにおける生体圧浴カバーの形状例（その４）を示す模式図である。
【図１２】本発明の第１の実施形態に係るガスミスト圧浴システムにおける生体圧浴カバーの形状例（その５）を示す模式図である。
【図１３】本発明の第１の実施形態に係るガスミスト圧浴システムにおける生体圧浴カバーの形状例（その６）を示す模式図である。
【図１４】本発明の第１の実施形態に係るガスミスト圧浴システムにおける生体圧浴カバーの形状例（その７）を示す模式図である。
【図１５】本発明のガス供給手段及びガスミスト生成器をケースに収納した際の概観を示す模式図である。
【図１６】図１５に示すケースの使用状態の例を示す模式図である。
【図１７】本発明の第２の実施形態に係るガスミスト圧浴システムの全体概略図である。
【図１８】本発明の第２の実施形態に係るガスミスト圧浴システムにおける生体圧浴カバーの形状例（その１）を示す模式図である。
【図１９】本発明の第２の実施形態に係るガスミスト圧浴システムにおける生体圧浴カバーの形状例（その２）を示す模式図である。
【図２０】本発明の第３の実施形態に係るガスミスト圧浴システムの全体概略図である。
【発明を実施するための形態】
【００２３】
以下、本発明の実施の形態について、図面を参照しながら詳細に説明する。
【００２４】
〔第１の実施形態〕
図１は、本発明の第１の実施形態に係るガスミスト圧浴システムの全体概略図である。図１に示すように、本実施形態のガスミスト圧浴システムは、酸素、炭酸ガス、又は酸素と炭酸ガスの混合ガス（以下、単にガスという）を供給するガス供給手段１０と、ガスミスト生成手段としてのガスミスト生成器３０と、供給されたガスミスト及びガスを内部に封入する生体カバー部材としての生体圧浴カバー５０と、から構成される。さらに、制御手段としての制御装置６０を備えるのが好ましい。
【００２５】
ガス供給手段１０は、後述するガスミスト生成器３０の接続部３１にガスを供給する。例えば、カートリッジ式のガスボンベや、カセットガスボンベ、業務用の高圧ガス容器等であっても良い。ガス供給手段１０には、図示しないがガスの圧力調整のためのレギュレータを付属させても良い。また、ガスを加温するためのヒータ、温度制御のための温度計を配置しても良い。
【００２６】
ガスミスト生成器３０は、予め内部に液体を貯留して、ガス供給手段１０から供給されるガスの高速流により、液体とガスを粉砕溶解したガスミストを生成し、さらにガスを混合させてこれを生体圧浴カバー５０に供給する。
【００２７】
図２は、ガスミスト生成器３０の構造を示す断面模式図である。また、図３は図２の矢印Ａ方向から見たガスミスト生成器３０の断面斜視図である。なお、図３において、液体貯留部３３の手前側の壁部と接続部３１等は、図示を省略している。また、図４は図２の矢印Ｂ方向から見たガスミスト生成器３０の断面斜視図である。
【００２８】
これらの図に示すように、ガスミスト生成器３０は、ガス供給手段１０と接続される接続部３１と、接続部３１からのガス流を分岐させる分岐部３２と、液体を貯留する液体貯留部３３と、分岐部３２で分岐された一方のガス流を吐出するノズル３４と、ノズル３４先端に液体を送る吸液管３５Ａと、ノズル３４が吐出するガス流によって吹き上げられた液体を衝突させてガスミストを生成するバッフル（衝突部材）３６と、生成されたガスミストに上方からガスを合流させる合流部３７と、分岐部３２で分岐された他方のガス流を合流部３７まで導くガス導入部３８と、生成されたガスミストを収集し排出するガスミスト排出部３９とを備え、これらが一体に形成されている。
【００２９】
接続部３１には、ガス供給手段１０が直接、もしくはガスコード等を介して接続される。接続部３１の構造は、ガス供給手段１０やガス供給手段１０に連結されたガスコード等をワンタッチで接続可能なものであり、接続するガス供給手段１０に従って様々な形態を適用することができる。
【００３０】
接続部３１を介してガス供給手段１０から供給されたガスは、分岐部３２で二手に分岐される。そして一方はノズル３４に、他方はガス導入部３８に向かう。ノズル３４に向かったガスは、ノズル先端開口３４Ａから吐出される。一方、ガス導入部３８に向かったガスは、合流部３７まで案内される。
【００３１】
液体貯留部３３には、予め製造段階で所定の液体が貯留され、密封される。そして、使用時にこれを開封してガスミスト圧浴を行う。液体貯留部３３に貯留する液体は、水、イオン水、オゾン水、生理食塩水、精製水、滅菌精製水を用いるのが好適である。さらに、これらの液体に使用者の疾患、症状等に有効な薬剤を含有させても良い。薬剤とは、例えば、抗アレルギー剤、抗炎症剤、解熱鎮痛剤、抗真菌剤、抗インフルエンザウィルス剤、インフルエンザワクチン、ステロイド剤、抗ガン剤、血圧降下剤、化粧剤、増毛剤、発毛剤、育毛剤等が挙げられる。さらに、清涼作用のあるメンソールや、血行を促進させるビタミンＥ、皮膚組織に吸収されやすく美肌効果の高いビタミンＣ誘導体、皮膚の角化作用を正常にし粘膜を保護するレチノール、粘膜への刺激を和らげるための麻酔薬、臭気を除去するためのシクロデキストリン、殺菌、消炎効果のある光触媒、又は光触媒とアパタイトの複合体、保水力に優れ肌の保湿効果を有するヒアルロン酸、細胞を活性化し免疫力を向上させるコエンザイムＱ１０、抗酸化物質や多量の栄養素を含むシードオイル、抗酸化作用、抗菌作用、抗炎症作用、鎮痛・麻酔作用、免疫作用等を有するプロポリス、細胞を活性化させるクエン酸等を単独あるいは複数組み合わせて混合して、ガスの生理作用との相乗効果を生じさせることも可能である。あるいは、エタノール、グルコン酸クロルヘキシジン、両性界面活性剤、塩化ベンザルコニウム、酢酸アルキルジアミノエテルグリシン、次亜塩素酸ナトリウム、過酢酸、セスキ炭酸ナトリウム、シリカ、ポピドンヨード、炭酸水素ナトリウムを添加しても良い。さらに、炭酸塩と有機酸を主成分とする高濃度炭酸泉剤（有効成分の一例としては、硫酸塩、炭酸塩、有機酸、ジクロロイソシアヌル酸ナトリウム）を添加しても良い。
【００３２】
液体貯留部３３の底部中央には、ノズル３４が配置されている。ノズル３４は、液体貯留部３３の底から隆起して、バッフル３６に向かって絞られる略円錐筒状に形成されている。ノズル３４の基端は分岐部３２の一方の分岐と連結しており、ノズル３４の先端開口３４Ａからはガスを吐出可能である。
【００３３】
吸液管３５Ａは、ノズル３４の外周面と、ノズル３４より一回り大きい略円錐筒状の吸液管形成部材３５との間に形成される。即ち、図２に示すように、ノズル３４に吸液管形成部材３５を被せるように配置することにより、ノズル３４の外周面と吸液管形成部材３５の内周面との間に吸液管３５Ａが形成される。図示は省略したが吸液管形成部材３５の基端（略円錐筒状部の下部）には微小な爪状突起部が設けられているため、吸液管形成部材３５の基端と液体貯留部３３の底面には隙間が形成されており、この隙間から液体貯留部３３に貯留された液体が吸液管３５Ａによって吸い上げられる。また、吸液管形成部材３５の先端部３５Ｂは、ノズル３４の先端開口３４Ａの近傍で開口しており、ノズル３４から吐出されるガス流に、吸液管３５Ａが吸い上げた液体が突き当たるように構成されている。
【００３４】
吸液管３５Ａが吸い上げた液体は、ノズル３４から吐出されたガス流に突き当たって吹き上げられ、ノズル３４の先端開口３４Ａに対向する位置に配置されたバッフル３６に衝突して粉砕され、ガスミストが生成される。ここでは、バッフル３６はバッフル支持部３６Ａによって合流部３７の内壁に固定されているが、吸液管形成部材３５等に固定されても良い。
【００３５】
一方、分岐部３２でガス導入部３８に分岐されたガスは、ガス導入部３８に沿って合流部３７に至る。ガス導入部３８は、ガスミスト生成器３０下部に設けられた分岐部３２から、ガスミスト生成器３０内側の側面を通って上部へ向かうガスの案内路であり、ガスミスト生成器３０に一体に形成されている。また、合流部３７は、ノズル３４の先端開口３４Ａ上でバッフル３６を囲うように配置される円筒状の部材からなり、ガス導入部３８と通じている。従って、分岐部３２で分岐されガス導入部３８へ導かれたガスは、合流部３７で生成されたガスミストと上方から合流し、円筒状の合流部３７の周囲に形成されたガスミスト排出部３９へとガスミストを押し出す。
【００３６】
ガス導入部３８から合流部３７へ供給されるガスは、ガス導入部３８の径のサイズによって供給圧の調節ができる。ガス供給圧の調節によって、ガスミスト生成器３０のガスミスト供給量も調節可能になる。また、ガスミスト濃度（ガス中のミスト濃度）やミストの粒子サイズもガス導入部３８の径サイズによって調節可能である。
【００３７】
ガスミスト排出部３９は、円筒状の合流部３７の周囲に形成される空間で、ガス導入部３８からのガスによって合流部３７から追いやられたガスミストを収集しガスと共に排出する。ガスミスト排出部３９に追いやられたガスミストは、ガスミスト生成器３０の上部に配置された開口である、ガスミスト排出口３９Ａから生体圧浴カバー５０へと排出される。ガスミスト排出口３９Ａと生体圧浴カバー５０の間は、ガスミスト供給管４１によって接続されている。
【００３８】
なお、ガスミスト生成器３０は、少なくとも液体貯留部３３を含んだ部位を取り外し可能にして、他の新たな液体貯留部３３と取替え可能に構成しても良い。即ち、ガスミスト生成器３０を組み立て式として、液体貯留部３３を含んだ取替え部を他の部位と組み立てることによって、ガス導入部３８が一体となったガスミスト生成器３０が完成する構成である。このように、液体貯留部３３を取替え可能にすることにより、液体貯留部３３を使い捨てにして、衛生を保つことができる。また、液体貯留部３３を取替え可能にすることにより、吸液管３５Ａに液体を補給するための構成を省き、装置のコンパクト化を実現することができる。
【００３９】
なお、上記ガスミスト生成器３０は、製造段階で予め滅菌処理されているのが好ましい。
【００４０】
ガスミスト供給管４１は、その全部又は一部を図５に示すような管径の太い柔軟なジャバラ状の管４１Ａで構成するのが好適である。ジャバラ状の管４１Ａは、自在に曲がり、伸縮させることもできるため、使用者の動きを制限することもない。さらに、図６に示すように、ジャバラ状の管４１Ａの内側には、管の軸方向に溝４２が形成されている。このように管４１Ａの内側に溝４２を形成することで、ガスミスト供給管４１内を流れるガスミストが液化した際に、液滴を集めて回収しやすくすることができる。なお、図６ではジャバラ状の管４１Ａの内側を平滑に図示したが、外側同様にジャバラ状に形成しても良い。その場合も溝４２を作ることで、液化したガスミストの回収を図る。
【００４１】
ガスミスト供給管４１の内部には、ガスミスト及びガスの逆流を防止するための逆止弁を設けるようにする。また、ガスミスト供給管４１には、図示しないが管内に付着する余分な液滴を取り除くための液滴除去フィルターを設けるようにしても良い。
【００４２】
生体圧浴カバー５０は、生体（ここでは例として、人体の下肢）の皮膚及び粘膜を覆い、ガスミスト及びガスを内部に封入する空間を形成できるカバーである。例として、図１では人体の下肢を覆うズボンのような形状を図示している。この生体圧浴カバー５０は、耐圧性、非通気性、非透湿性素材から構成される。例えば、天然ゴム、シリコンゴム、ポリエチレン、ポリプロピレン、ポリ塩化ビニリデン、ポリスチレン、ポリ酢酸ビニル、ポリ塩化ビニル、ポリアミド系樹脂、ポリテトラフルオロエチレン等からなるのが好適であり、これらの素材の多層構造としてもよい。
【００４３】
生体圧浴カバー５０は、ガスミスト供給管４１に接続され、ガスミスト及びガスを内部に導入するための供給口５１を備えている。この供給口５１の内部には、ガスミスト及びガスの逆流を防ぐための逆止弁が設けられている。また、生体圧浴カバー５０には、内部の圧力を調整するため、ガスミスト及びガスを排出できる開口や弁を設けるようにしても良い。そして、これらの圧力調整は手動で行われても良いが、後述する圧力計７１の計測値に基づき、ガスミストの供給制御と共に制御装置６０により自動的に行われるのが望ましい。また、生体圧浴カバー５０内が一定圧力値以上になると自動的に弁が開く安全弁（逃し弁）を設けるようにしても良い。
【００４４】
生体圧浴カバー５０内には、その内部の圧力を計測するための圧力計７１が設置されている。制御装置６０は、生体圧浴カバー５０内の圧力値を１気圧以上（より好適には、１．０１〜１．４気圧）に保つため、この圧力計７１の計測値に基づき、ガスミストの生成、供給を制御する。例えば、ガス供給手段１０からのガスの供給を調整、停止したり、生体圧浴カバー５０からガスミストを排出したりする。また、生体圧浴カバー５０の内部には生体圧浴カバー５０内の温度を計測するための温度計７２が設置されている。制御装置６０は、生体圧浴カバー５０内を温浴効果が得られる設定温度（例えば３８℃程度）に保つため、温度計７２の計測値に基づきガス供給手段１０に設けられたヒータのオン・オフ等を行う。このほか、生体圧浴カバー５０内には、酸素濃度、炭酸ガス濃度、湿度等を計測するセンサを設置して制御装置６０によってカバー内を予め設定された値の範囲内に制御するようにしても良い。
【００４５】
生体圧浴カバー５０の開口部には、生体（ここでは人体の下肢）への着脱を可能にすると共に内部に封入したガスミストの漏出を防ぐための止着部５２が設けられている。止着部５２は、例えば伸縮性のある面ファスナーにより構成されるのが好適である。あるいは、紐やゴム等を単独、又は組み合わせて用いても良い。さらに、生体圧浴カバー５０内の密閉性を高めるため、生体圧浴カバー５０の内側面（止着部５２の内側面等）に使用者の皮膚に粘着する素材を配置しても良い。この粘着素材は、例えばポリウレタンやシリコンゴム等からなる粘弾性ゲルであるのが好ましい。さらにこの粘着素材は取り外し可能に設けられ、使用の都度あるいは粘性が低くなれば交換できる構成とするのが良い。
【００４６】
制御装置６０は、ＣＰＵ、メモリ、ディスプレイを備えたコンピュータから構成される。そして、ガス供給手段１０から供給されるガスの圧力調整やオン・オフ切替、ガスミストの供給のオン・オフ切替等々の各種制御を行い、最適な状態でガスミスト圧浴が行えるようにする。特に、生体圧浴カバー５０内の圧力値が所定値以上になった場合、制御装置６０によりガス供給手段１０のガス供給を停止するように構成するのが好適である。なお上記の調整は、制御装置６０を用いずに手動で行うようにしても良い。
【００４７】
以下、上記第１の実施形態のガスミスト圧浴システムを用いてガスミスト圧浴を行う手順の一例について説明する。
【００４８】
まず、密封されたガスミスト生成器３０を開封してガス供給手段１０等と接続する。生体圧浴カバー５０は生体（ここでは人体の下肢）に固定して密閉する。そしてガス供給手段１０からガスミスト生成器３０へのガスの供給を開始する。
【００４９】
ガスがノズル３４に供給されると、ノズル３４は図７に示すように先端に向かって狭窄されているため、ガスは流速を増して吐出される。液体はこのときの気流により発生する負圧で吸液管３５Ａを吸い上げられ、吸液管３５Ａの先端部３５Ｂでガスに吹き上げられてバッフル３６に衝突し、ガスミストが生成される。この衝突によって生成されるミストの粒径は微細であることが望ましく、具体的には１０μｍ以下が最適である。このように微細に粉砕されたミストは、マイナスイオンの効果を発揮することができる。
【００５０】
ガスはさらに分岐部３２を経てガス導入部３８から合流部３７へと案内されて、生成されたガスミストの排出圧を高くする。生成されたガスミストは、分岐部３２からのガスと混合されて、ガスミスト排出口３９Ａからガスミスト供給管４１を介して生体圧浴カバー５０へ排出される。制御装置６０は圧力計７１、温度計７２の計測値から、生体圧浴カバー５０内が最適な加圧、加温状態（約１．０１〜１．４気圧、約３８℃）に保たれるように各手段を調整し、この状態でガスミスト圧浴が行われる。
【００５１】
なお、上記ではガスミスト圧浴を行う生体の部位として、人体の下肢を例にとって説明したが、本発明は様々な部位に適用することができる。その場合、対象とする部位に合わせた形状の生体圧浴カバー５０を用いて最適なガスミスト圧浴を行うようにする。
【００５２】
図８乃至図１０に様々な生体圧浴カバー５０の形状の例を示す。まず、図８に人体の上半身用の生体圧浴カバー５０Ａの概略を示す。この生体圧浴カバー５０Ａは、上半身全体を覆い包む形状をしており、腰部の開口には着脱を可能にすると共に内部に封入したガスミスト及びガスの漏出を防ぐための止着部５２Ａが設けられている。また、首部の開口にも同様に止着部５３Ａが設けられている。なお、５１Ａはガスミスト及びガスを内部に導入するための供給口である。
【００５３】
図９は、生体のさらに局所的な部位を覆う生体圧浴カバー５０の形状の例を示している。図９（ａ）は、人体の片下肢（膝下部）用の生体圧浴カバー５０Ｂである。この生体圧浴カバー５０Ｂには、その開口部に止着部５２Ｂが設けられると共に、ガスミスト及びガスを内部に導入するための供給口５１Ｂが設けられている。図９（ｂ）は、人体の足部用の生体圧浴カバー５０Ｃである。この生体圧浴カバー５０Ｃには、その開口部に止着部５２Ｃが設けられると共に、ガスミスト及びガスを内部に導入するための供給口５１Ｃが設けられている。図９（ｃ）は、人体の前腕用の生体圧浴カバー５０Ｄである。この生体圧浴カバー５０Ｄには、その開口部に止着部５２Ｄが設けられると共に、ガスミスト及びガスを内部に導入するための供給口５１Ｄが設けられている。図９（ｄ）は、人体の手部用の生体圧浴カバー５０Ｅである。この生体圧浴カバー５０Ｅには、その開口部に止着部５２Ｅが設けられると共に、ガスミスト及びガスを内部に導入するための供給口５１Ｅが設けられている。図９（ｅ）は、人体の指用の生体圧浴カバー５０Ｆである。この生体圧浴カバー５０Ｆには、その開口部に止着部５２Ｆが設けられると共に、ガスミスト及びガスを内部に導入するための供給口５１Ｆが設けられている。
【００５４】
さらに図１０は、パッチ状の生体圧浴カバー５０Ｇの例を示している。図１０（ａ）は、そのパッチ状の生体圧浴カバー５０Ｇの概略を示す図、図１０（ｂ）はそのパッチ状の生体圧浴カバー５０Ｇの概略を示す図、図１０（ｂ）はそのパッチ状の生体圧浴カバー５０Ｇを生体（ここでは人体下肢）に装着した際の外観を示す図である。生体圧浴カバー５０Ｇは、生体の皮膚及び粘膜を覆うカバー部５４Ｇと、そのカバー部５４Ｇの周縁に設けられて生体の皮膚及び粘膜へ直接貼着される止着部５２Ｇと、カバー部５４Ｇを生体に固定するためのベルトや紐等からなる固定部５３Ｇと、カバー部５４Ｇと止着部５２Ｇが形成する空間内にガスミスト及びガスを供給するための供給口５１Ｇとから構成されている。
【００５５】
より簡易な生体圧浴カバー５０としては、図１１に示すように、ガスミスト供給管４１先端に生体（ここでは指先端）を装着して、ガスミスト供給管４１自体を生体圧浴カバー５０Ｈとして用いても良い。このような場合、ガスミスト供給管４１は弾性を有する素材から構成されるのが良い。
【００５６】
なお、図１１に示す生体圧浴カバー５０Ｈは、装着できる生体の部位が限られるため、図１２に示すように、ガスミスト供給管４１との接続部５６と、ガスミスト供給管４１よりも径の大きい、弾性を有する筒状部材５７とからなる生体圧浴カバー５０Ｉを用いても良い。この生体圧浴カバー５０Ｉを使用する際には、接続部５６をガスミスト供給管４１の先端部に接続し、筒状部材５７に生体（ここでは指先端、及び足先端）を挿入して装着する。このような生体圧浴カバー５０Ｉは、生体への装着が非常に簡単であるという利点がある。また、特に集中してガスミストを接触させたい部位がある場合にも有効である。
【００５７】
図１１及び図１２に示す生体圧浴カバー５０Ｈ、５０Ｉに、さらに図１３及び図１４に示すように包囲部材５８を設けて、生体圧浴カバー５０Ｊ、５０Ｋとしても良い。包囲部材５８の一方の端部５８Ａは、ガスミスト供給管４１もしくは接続部５６に取り付けられる。さらにもう一方の端部５８Ｂは生体（ここでは、指、手首、足首）に止着される。包囲部材５８の各端部５８Ａ、５８Ｂには、伸縮性のある面ファスナー等を配置して容易に着脱できるようにする。あるいは、紐やゴム等を用いて端部５８Ａ、５８Ｂを止着しても良い。
【００５８】
生体圧浴カバー５０は、図８乃至図１４に示したこれらの例の他にも様々な形状が考えられる。特に、本発明は人体だけでなく動物等生体全般に適用することが可能なため、生体圧浴カバー５０も使用対象と使用部位に合わせた形状を採用する。要は生体の皮膚及び粘膜を覆い、ガスミストを内部に封入する空間を形成できる形状であればどのような形状であっても良い。なお、ここでは図示を省略したが、生体圧浴カバー５０内のガスミスト及びガスの排出や圧力調整を行うための排気口が設けられるのが好適である。
【００５９】
なお、ガスミスト圧浴においては生体圧浴カバー５０によって所定の圧力値以上で生体の皮膚及び粘膜にガスミストを接触させるが、このような加圧は所定のインターバルでパルス状に行うことにより効果が高まる。そのため、制御装置６０はガスミストを一定のリズムで間歇的に生体圧浴カバー５０内に供給するようにしても良い。その際のインターバル加圧の間隔は、脈の拍動に同期させると効果が高くなる。
【００６０】
ガス供給手段１０として、カートリッジ式ガスボンベ等の簡易なものを用いる場合、図１５に示すように、ガス供給手段１０とガスミスト生成器３０を（さらに好適には、制御装置６０を）、ケース２０に収納したコンパクトな状態で使用することが可能である。また、ここではガス供給手段１０にレギュレータ１０Ａを設けている。図１６に、使用状態の例を示す。図１６（ａ）乃至（ｃ）に示すように、ケース２０にはスタンド２１、２２、フック２３等を設けて、直立させる、壁に吊るす等内部のガスミスト生成器３０をできるだけ立てた状態で使用する。このようにすることで、液化したガスミストの回収を容易にする。
【００６１】
〔第２の実施形態〕
図１７は、本発明の第２の実施形態に係るガスミスト圧浴システムの全体概略図である。本実施形態では、生体圧浴カバー内の加圧を容易にする加圧手段をさらに備えたガスミスト圧浴システムについて説明する。なお、図１に示す第１の実施形態と同一の部分については、同一の符号を付して詳細な説明は省略する。
【００６２】
図１７に示すように、本実施形態のガスミスト圧浴システムでは、ガスミストを内部に封入する空間を形成する生体圧浴カバー８０と、この生体圧浴カバー８０と連設され生体圧浴カバー８０内を加圧する加圧手段９０とを備えている。
【００６３】
生体圧浴カバー８０は、第１の実施形態で示した生体圧浴カバー５０とほぼ同じ構造であり、ガスミスト及びガスの供給口８１と止着部８２を備えている。ただし、供給口８１は本実施形態では加圧手段９０と接続されている。なお、ここでは例として、人体の手部を覆う形状の生体圧浴カバー８０を図示している。
【００６４】
加圧手段９０は、生体圧浴カバー８０内を加圧するため、生体圧浴カバー８０と連設される中空のガス溜部９１を備えている。このガス溜部９１は、耐圧性、非通気性、非透湿性を有する柔軟な素材から構成される。また、加圧手段９０は、生体圧浴カバー８０の供給口８１と接続されると共に、自身も供給口９２を備えており、ここからガス溜部９１内部にガスミスト及びガスが供給される。なお、加圧手段９０の供給口９２にも内部にガスミスト及びガスの逆流を防止するための逆止弁が設けられている。
【００６５】
加圧手段９０により生体圧浴カバー８０を加圧する際には、生体圧浴カバー８０内に適度なガスミストが溜まっている状態で、ガス溜部９１にガスミスト及びガスを溜める。そして、図１７の矢印に示すようにガス溜部９１を押し潰すように加圧すると、ガス溜部９１内のガスミスト及びガスが生体圧浴カバー８０内に排出されるため、生体圧浴カバー８０内を加圧することができる。
【００６６】
なお、加圧手段９０は、手動で押圧する構成としても良いし、駆動装置等を用いて制御装置６０の制御で機械的に行っても良い。また前述の通り、ガスミスト圧浴における加圧は、所定のインターバルでパルス状に行うことにより効果が高まるため、加圧手段９０を一定のリズムで間歇的に押圧するのが効果的である。
【００６７】
そこで、本実施形態のガスミスト圧浴システムを用いてガスミスト圧浴を行う際には、まず、密封されたガスミスト生成器３０を開封してガス供給手段１０等と接続する。生体圧浴カバー８０は生体（ここでは人体の手部）に固定して密閉する。そしてガス供給手段１０からガスミスト生成器３０へのガスの供給を開始し、ガスミストを生成する。この間、制御装置６０は、液体及びガスの供給圧や量、温度等の調整を行う。
【００６８】
生成されたガスミストは、分岐部３２からのガスと混合されてガスミスト排出口３９Ａからガスミスト供給管４１を介して加圧手段９０及び生体圧浴カバー８０へ排出される。制御装置６０は温度計７２の計測値から、生体圧浴カバー８０内が最適な加温状態（例えば約３８℃）に保たれるように各手段を調整する。そして、生体圧浴カバー８０と加圧手段９０に最適な量のガスミスト及びガスが溜まったところで、加圧手段９０を押圧して生体圧浴カバー８０を適度に加圧し（約１．０１〜１．４気圧）、ガスミスト圧浴を行う。
【００６９】
第１の実施形態でも述べた通り、生体の種々の部位に適用するため、生体圧浴カバー８０は様々な形状のものを用いることができる。ただし、本実施形態の場合、生体圧浴カバー８０は加圧手段９０で容易に加圧可能な大きさである必要がある。例えば加圧手段９０を手動で押圧する場合、加圧手段９０の大きさは人が両手で掴める程度である必要があり、そのような加圧手段９０で加圧できる生体圧浴カバー８０の大きさも、ある程度限定される。また、駆動装置等で加圧する場合あっても、加圧手段９０もこれを押圧する押圧手段も現実的にはあまり場所を取らないコンパクトなものが望ましいため、本実施形態の場合比較的コンパクトな（生体の局所的部位を覆う）生体圧浴カバー８０への適用が向いている。
【００７０】
図１８及び図１９に、本実施形態の適用が向く生体圧浴カバー８０とこれに接続される加圧手段９０の形状の例を示す。図１８（ａ）は、人体の片下肢（膝下部）用の生体圧浴カバー８０Ａである。この生体圧浴カバー８０Ａには、ガスミスト及びガスを内部に導入するための供給口８１Ａが設けられると共に、その開口部に止着部８２Ａが設けられている。供給口８１Ａには加圧手段９０Ａが接続されている。加圧手段９０Ａは、ガス溜部９１Ａと供給口９２Ａを備えている。図１８（ｂ）は、人体の足部用の生体圧浴カバー８０Ｂである。この生体圧浴カバー８０Ｂには、ガスミスト及びガスを内部に導入するための供給口８１Ｂが設けられると共に、その開口部に止着部８２Ｂが設けられている。供給口８１Ｂには加圧手段９０Ｂが接続されている。加圧手段９０Ｂは、ガス溜部９１Ｂと供給口９２Ｂを備えている。図１８（ｃ）は、人体の前腕用の生体圧浴カバー８０Ｃである。この生体圧浴カバー８０Ｃには、ガスミスト及びガスを内部に導入するための供給口８１Ｃが設けられると共に、その開口部に止着部８２Ｃが設けられている。供給口８１Ｃには加圧手段９０Ｃが接続されている。加圧手段９０Ｃは、ガス溜部９１Ｃと供給口９２Ｃを備えている。
【００７１】
図１９は、パッチ状の生体圧浴カバー８０Ｄの例を示している。図１９（ａ）はそのパッチ状の生体圧浴カバー８０Ｄの概略を示す図、図１９（ｂ）はそのパッチ状の生体圧浴カバー８０Ｄを生体（ここでは人体下肢）に装着した際の外観を示す図である。生体圧浴カバー８０Ｄは、生体の皮膚及び粘膜を覆うカバー部８４Ｄと、そのカバー部８４Ｄの周縁に設けられて生体の皮膚及び粘膜へ直接貼着される止着部８２Ｄと、カバー部８４Ｄを生体に固定するためのベルトや紐等からなる固定部８３Ｄと、カバー部８４Ｄと止着部８２Ｄが形成する空間内にガスミスト及びガスを供給するための供給口８１Ｄとから構成されている。供給口８１Ｄには加圧手段９０Ｄが接続されている。加圧手段９０Ｄは、ガス溜部９１Ｄと供給口９２Ｄを備えている。
【００７２】
なお、ここでは図示を省略したが、生体圧浴カバー８０内のガスミスト及びガスの排出や圧力調整を行うための排気口が設けられるのが好適である。
【００７３】
また、上記実施形態では、加圧手段９０を生体圧浴カバー８０に連設される中空のガス溜部９１から構成したが、この他生体圧浴カバー８０自体を外周から押し潰すように圧迫する部材等、生体圧浴カバー８０を簡便に加圧できるものであればどのようなものを用いても良い。
【００７４】
〔第３の実施形態〕
図２０は、本発明の第３の実施形態に係るガスミスト圧浴システムの全体概略図である。本実施形態では、発生させたミストを帯電させるための電荷付与手段をさらに備えたガスミスト圧浴システムについて説明する。なお、図１に示す第１の実施形態と同一の部分については、同一の符号を付して詳細な説明は省略する。
【００７５】
図２０に示すように、本実施形態のガスミスト圧浴システムでは、ガスミスト生成器３０のガスミスト排出口３９Ａの出口近傍に、電極１０２が配置されている。電極１０２は電源装置１０１に接続されており、制御装置６０により電圧値の設定、及びオン・オフの制御が行われる。
【００７６】
電極１０２は、ガスミスト生成器３０が生成したミストが排出される際に、電荷（マイナスの電荷が望ましい）を付与する。それによりミストを帯電状態とし、荷電した物体への付着性を高めることができる。即ち、生体の皮膚及び粘膜への付着性を向上させれば、ガスミスト圧浴によるガスの吸収率向上の効果をさらに高め、ガスミストに上述したような薬剤が含まれる場合は、同様に皮膚及び粘膜への浸透をより促進させることが可能となる。
【００７７】
そこで、本実施形態のガスミスト圧浴システムを用いてガスミスト圧浴を行う際には、まず、密封されたガスミスト生成器３０を開封してガス供給手段１０等と接続する。生体圧浴カバー５０は生体（ここでは人体の下肢）に固定して密閉する。そしてガス供給手段１０からガスミスト生成器３０へのガスの供給を開始し、ガスミストを生成する。この間、制御装置６０は、液体及びガスの供給圧や量、温度等の調整を行う。また、制御装置６０は、電源装置１０１をオンにし、電極１０２からミストに電荷を付与する。
【００７８】
生成されたガスミストは、分岐部３２からのガスと混合されてガスミスト排出口３９Ａからガスミスト供給管４１を介して生体圧浴カバー５０へ排出される。制御装置６０は圧力計７１、温度計７２の計測値から、生体圧浴カバー５０内が最適な加圧、加温状態（約１．０１〜１．４気圧、約３８℃）に保たれるように各手段を調整し、この状態でガスミスト圧浴が行われる。
【００７９】
上記のように構成したため、本発明のガスミスト圧浴システムによれば、ガスミストの供給圧を上昇させるためのガス導入部をガスミスト生成器と一体に形成することにより、構造が簡易化し使用時の手間を減らすと共に、製造コストを低減させることができる。また、ガスの漏出も防ぐことができる。
【００８０】
以上、本発明の実施形態について説明したが、本発明は上記実施形態に限定されるものではなく、本発明の趣旨に基づき種々の変形が可能であり、これらを本発明の範囲から排除するものではない。
【産業上の利用可能性】
【００８１】
本発明は、酸素、炭酸ガス、又は酸素と炭酸ガスの混合ガスと液体を粉砕溶解させたガスミストを、所定の圧力値以上で生体の皮膚又は粘膜に直接接触させることにより、皮膚又は粘膜からのガスの吸収効率を向上させるガスミスト圧浴システムに関し、産業上の利用可能性を有する。
【符号の説明】
【００８２】
１０    ガス供給手段
２０    ケース
２１、２２    スタンド
２３    フック
３０    ガスミスト生成器
３１    接続部
３２    分岐部
３３    液体貯留部
３４    ノズル
３４Ａ    ノズル先端開口
３５    吸液管形成部材
３５Ａ    吸液管
３５Ｂ    吸液管先端部
３６    バッフル
３６Ａ    バッフル支持部
３７    合流部
３８    ガス導入部
３９    ガスミスト排出部
３９Ａ    ガスミスト排出口
４１    ガスミスト供給管
４１Ａ    ジャバラ状の管
４２    溝
５０、５０Ａ、５０Ｂ、５０Ｃ、５０Ｄ、５０Ｅ、５０Ｆ、５０Ｇ、８０、８０Ａ、８０Ｂ、８０Ｃ、８０Ｄ    生体圧浴カバー
５１、５１Ａ、５１Ｂ、５１Ｃ、５１Ｄ、５１Ｅ、５１Ｆ、５１Ｇ、８１、８１Ａ、８１Ｂ、８１Ｃ、８１Ｄ    供給口
５２、５２Ａ、５３Ａ、５２Ｂ、５２Ｃ、５２Ｄ、５２Ｅ、５２Ｆ、５２Ｇ、８２、８２Ａ、８２Ｂ、８２Ｃ、８２Ｄ    止着部
５３Ｇ、８３Ｄ    固定部
５４Ｇ、８４Ｄ    カバー部
６０    制御装置
７１    圧力計
７２    温度計
９０、９０Ａ、９０Ｂ、９０Ｃ、９０Ｄ    加圧手段
９１、９１Ａ、９１Ｂ、９１Ｃ、９１Ｄ    ガス溜部
９２、９２Ａ、９２Ｂ、９２Ｃ、９２Ｄ    供給口
１０１    電源装置
１０２    電極
【図１】
0005995373.tif 000002
【図２】
0005995373.tif 000003
【図３】
0005995373.tif 000004
【図４】
0005995373.tif 000005
【図５】
0005995373.tif 000006
【図６】
0005995373.tif 000007
【図７】
0005995373.tif 000008
【図８】
0005995373.tif 000009
【図９】
0005995373.tif 000010
【図１０】
0005995373.tif 000011
【図１１】
0005995373.tif 000012
【図１２】
0005995373.tif 000013
【図１３】
0005995373.tif 000014
【図１４】
0005995373.tif 000015
【図１５】
0005995373.tif 000016
【図１６】
0005995373.tif 000017
【図１７】
0005995373.tif 000018
【図１８】
0005995373.tif 000019
【図１９】
0005995373.tif 000020
【図２０】
0005995373.tif 000021